(57)【要約】【課題】誤り検出処理を高速化させるようにした無線通信装置、無線通信システム、及び無線通信システムにおける無線通信方法を提供すること。また、スループットを向上させるようにした無線通信装置等を提供すること。【解決手段】他の無線通信装置と無線通信を行う無線通信装置において、前記他の無線通信装置から受信した受信信号の通信品質を測定する品質測定部と、前記通信品質と第１の閾値とに基づいて、前記受信信号に含まれる受信データの誤りを検出する第１の誤り検出部と、前記第１の誤り検出部の検出結果に基づいて再送要求信号を作成し、前記再送要求信号を前記他の無線通信装置に送信する再送要求信号作成部とを備える。【選択図】図５
2011077822.tif 000002
【特許請求の範囲】
【請求項１】
他の無線通信装置と無線通信を行う無線通信装置において、
前記他の無線通信装置から受信した受信信号の通信品質を測定する品質測定部と、
前記通信品質と第１の閾値とに基づいて、前記受信信号に含まれる受信データの誤りを検出する第１の誤り検出部と、
前記第１の誤り検出部の検出結果に基づいて再送要求信号を作成し、前記再送要求信号を前記他の無線通信装置に送信する再送要求信号作成部と
を備えることを特徴とする無線通信装置。  
【請求項２】
更に、前記受信データに対する送信プロファイルに基づいて前記第１の閾値を決定し、当該第１の閾値を前記誤り検出部に出力する閾値設定部を備えることを特徴とする請求項１記載の無線通信装置。
【請求項３】
前記閾値設定部は、伝搬路状態と前記送信プロファイルとに基づいて前記第１の閾値を決定することを特徴とする請求項２記載の無線通信装置。
【請求項４】
前記閾値設定部は、干渉量又は受信劣化量に基づいて、前記決定した第１の閾値を補正することを特徴とする請求項３記載の無線通信装置。
【請求項５】
前記品質測定部は、前記受信信号に対するＣＩＮＲ（Carrier to Interference plus Noise Ratio）、又はＥＶＭ（Error Vector Magnitude）を測定することで前記通信品質を測定することを特徴とする請求項１記載の無線通信装置。
【請求項６】
更に、前記受信信号に含まれるＣＲＣ符号であって、誤り訂正復号後の前記ＣＲＣ符号を用いて、前記受信データの誤り検出を行う第２の誤り検出部を備え、
前記再送要求信号作成部は、前記第１又は前記第２の誤り検出部の検出結果に基づいて前記再送要求信号を作成することを特徴とする請求項１記載の無線通信装置。
【請求項７】
更に、前記受信データのデータ量に対応する予測遅延量を測定する予測遅延量測定部と、
前記予測遅延量に基づいて、前記第１又は前記第２の誤り検出部から出力された各検出結果のうちいずれかを前記再送要求信号作成部に出力する切替部とを備え、
前記切替部は、前記予測遅延量が第２の閾値より大きいとき前記第１の誤り検出部から出力された検出結果を出力し、前記予測遅延量が前記第２の閾値以下のとき前記第２の誤り検出部から出力された検出結果を出力することを特徴とする請求項６記載の無線通信装置。
【請求項８】
前記閾値設定部は、前記第１及び第２の誤り検出部の検出結果が異なるとき、前記第１の閾値を調整することを特徴とする請求項６記載の無線通信装置。
【請求項９】
前記無線通信装置は、基地局装置、又は移動局装置、或いは中継局装置であることを特徴とする請求項１記載の無線通信装置。
【請求項１０】
第１の無線通信装置と第２の無線通信装置との間で無線通信を行う無線通信システムにおいて、
前記第１の無線通信装置は、
前記第２の無線通信装置から受信した受信信号の通信品質を測定する品質測定部と、
前記通信品質と第１の閾値とに基づいて、前記受信信号に含まれる受信データの誤りを検出する第１の誤り検出部と、
前記第１の誤り検出部の検出結果に基づいて再送要求信号を作成し、前記再送要求信号を前記第２の無線通信装置に送信する再送要求信号作成部とを備え、
前記第２の無線通信装置は、
前記再送要求信号に応じて前記受信データを再送する送信部を備えることを特徴とする無線通信システム。
【請求項１１】
第１の無線通信装置と第２の無線通信装置との間で無線通信を行う無線通信システムにおける無線通信方法であって、
前記第１の無線通信装置は、前記第２の無線通信装置から受信した受信信号の通信品質を測定し、前記通信品質と第１の閾値とに基づいて、前記受信信号に含まれる受信データの誤りを検出し、前記誤り検出の検出結果に基づいて再送要求信号を作成し、前記再送要求信号を前記第２の無線通信装置に送信し、
前記第２の無線通信装置は、前記再送要求信号に応じて前記受信データを再送する、ことを特徴とする無線通信方法。
【発明の詳細な説明】
【技術分野】
【０００１】
本発明は、無線通信装置、無線通信システム、及び無線通信システムにおける無線通信方法に関する。
【背景技術】
【０００２】
従来から、無線通信システムにおいて、伝送誤りを効率よく回復するものとして、ＨＡＲＱ（Hybrid Automatic Repeat Request）がある（例えば、以下の非特許文献１〜３）。
【０００３】
また、無線通信システムにおける従来技術として、再送要求信号作成部が、誤り検出部での誤り検出結果に基づいてＡＣＫ信号またはＮＡＣＫ信号をＮＡＣＫ信号計数部に出力し、ＮＡＣＫ信号計数部が、再送要求信号作成部からＡＣＫ信号が出力されるまでに出力されたＮＡＣＫ信号の個数（すなわち、データの再送回数）を通信モード毎に計数し、テーブル書き換え部が、ＮＡＣＫ信号計数部にて計数された再送回数と再送回数の所定のしきい値とを比較し、比較結果に基づいて通信モードテーブルの内容を書き換えるようにした通信端末装置等が開示される（例えば、以下の特許文献１）。
【先行技術文献】
【非特許文献】
【０００４】
【非特許文献１】3GPP TS 25.308
【非特許文献２】3GPP TS 25.309
【非特許文献３】IEEE Std 802.16eTM-2005
【特許文献】
【０００５】
【特許文献１】特開２００２‐６４４２４号公報
【発明の概要】
【発明が解決しようとする課題】
【０００６】
しかし、ＨＡＲＱにおいて、誤り検出処理が一定時間より長くなると、パケット送信から再送要求が返却されるまでの返却期間も長くなり、その後、受信側において再送されたパケットを受信するまでに時間がかかる。かかる場合、送信側と受信側は、誤り検出処理が一定時間以下の場合と比較して、再送遅延も増加する。また、受信側はある期間内に再送されたパケットを受信できない場合もあるためスループットが劣化する。
【０００７】
更に、特許文献１に記載されたものは、誤り検出処理の期間については考慮されておらず、よって誤り検出処理における遅延の増加やスループットの劣化等が生じる。  
【０００８】
そこで、本発明の一目的は、誤り検出処理を高速化させるようにした無線通信装置、無線通信システム、及び無線通信システムにおける無線通信方法を提供することにある。
【０００９】
また、本発明の他の目的は、スループットを向上させるようにした無線通信装置、無線通信システ、及び無線通信システムにおける無線通信方法を提供することにある。
【課題を解決するための手段】
【００１０】
一態様によれば、他の無線通信装置と無線通信を行う無線通信装置において、前記他の無線通信装置から受信した受信信号の通信品質を測定する品質測定部と、前記通信品質と第１の閾値とに基づいて、前記受信信号に含まれる受信データの誤りを検出する第１の誤り検出部と、前記第１の誤り検出部の検出結果に基づいて再送要求信号を作成し、前記再送要求信号を前記他の無線通信装置に送信する再送要求信号作成部とを備える。
【発明の効果】
【００１１】
誤り検出処理を高速化させるようにした無線通信装置、無線通信システム、及び無線通信システムにおける無線通信方法を提供することができる。また、スループットを向上させるようにした無線通信装置、無線通信システム、及び無線通信システムにおける無線通信方法を提供することができる。
【図面の簡単な説明】
【００１２】
【図１】図１は無線通信システムの構成例を示す図である。
【図２】図２は無線通信システムの構成例を示す図である。
【図３】図３は無線通信システムの構成例を示す図である。
【図４】図４は送信機の構成例を示す図である。
【図５】図５は受信機の構成例を示す図である。
【図６】図６は閾値テーブルの例を示す図である。
【図７】図７は閾値テーブルの例を示す図である。
【図８】図８は誤り判定処理の動作例を示すフローチャートである。
【図９】図９は誤り閾値補正処理の動作例を示すフローチャートである。
【図１０】図１０は受信機の構成例を示す図である。
【図１１】図１１は受信機の構成例を示す図である。
【図１２】図１２は誤り検出切替処理の動作例を示す図である。
【図１３】図１３は誤り検出切替処理の動作例を示す図である。
【図１４】図１４は受信機の構成例を示す図である。
【図１５】図１５は閾値テーブルの例を示す図である。
【図１６】図１６は閾値テーブルの例を示す図である。
【図１７】図１７は受信機３００の構成例を示す図である。
【図１８】図１８は送信機３００の構成例を示す図である。
【図１９】図１９は受信機１００の構成例を示す図である。
【発明を実施するための形態】
【００１３】
本発明を実施するための形態について以下説明する。
【００１４】
＜第１の実施例＞
第１の実施例について説明する。図１は第１の実施例における無線通信装置３００の構成例を示す図である。
【００１５】
他の無線通信装置１００と無線通信を行う無線通信装置３００において、前記他の無線通信装置１００から受信した受信信号の通信品質を測定する品質測定部３７０と、前記通信品質と第１の閾値とに基づいて、前記受信信号に含まれる受信データの誤りを検出する第１の誤り検出部３８０と、前記第１の誤り検出部３８０の検出結果に基づいて再送要求信号を作成し、前記再送要求信号を前記他の無線通信装置１００に送信する再送要求信号作成部３９０とを備える。
【００１６】
受信品質測定部３７０は受信信号の通信品質を測定し、第１の誤り検出部３８０は通信品質と第１の閾値とに基づいて受信データの誤りを検出する。よって、受信信号に対して誤り訂正復号処理を行い、誤り訂正復号後のＣＲＣ符号に基づいて誤り検出処理を行う場合と比較して、本無線通信装置３００は、誤り訂正復号処理等を行わない分、誤り検出処理の高速化を図ることができる。また、誤り検出処理の高速化を図ることができるため、一定期間内に受信できるデータ量がＣＲＣ等による誤り訂正処理の場合と比較して多くなり、無線通信装置３００はスループットの向上を図ることができる。
【００１７】
尚、無線通信装置は基地局装置１００、移動局装置３００、及び中継局装置２００のいずれかでも実施でき、他の無線通信装置も移動局装置３００、基地局装置１００、及び中継局装置２００のいずれでも実施できる。
【００１８】
＜第２の実施例＞
次に第２の実施例を説明する。図２は第２の実施例における無線通信システム１０の構成例を示す図である。無線通信システム１０は、基地局装置（ＢＳ：Base Station、以下「基地局」）１００と、中継局装置（ＲＳ：Relay Station、以下「中継局」）２００と、移動局装置（ＭＳ：Mobile Station、以下「移動局」）３００‐１〜３００‐５を備える。
【００１９】
基地局１００は、移動局３００‐４，３００‐５と直接無線通信を行い、また、中継局２００を介して移動局３００‐１等と無線通信を行うことができる。例えば、移動局３００‐５は再送要求を送信し、基地局１００は当該再送要求に基づいて送信データ（再送データ）を移動局３００‐５に送信できる。また、基地局１００が中継局２００を介して移動局３００‐１に再送要求を送信し、移動局３００‐１が中継局２００を介して再送データを送信することもできる。再送要求と再送データの送信方向は図２に示す方向と逆方向でもよい。
【００２０】
図３は無線通信システム１０の他の構成例を示す図である。無線通信システム１０は、送信側である基地局（ＢＳ＃１）１００‐１と、受信側である基地局１００（ＢＳ＃２）１００‐２と、これらの無線通信経路に複数の中継局（ＲＳ＃１〜ＲＳ＃３）２００‐１〜２００‐３とを備える。
【００２１】
基地局１００‐１は、中継局２００‐１を介して中継局２００‐２に送信データを送信する。中継局２００‐２は送信データの誤り発生を確認し再送要求（例えば、Ｎａｃｋ）を送信する。再送要求は、中継局２００‐１を介して基地局１００‐１に送信される。基地局１００‐１は、再送要求に基づいて再送データを送信する。この場合、中継局２００‐２は誤りが生じたパケットを中継局２００‐３に送信しない。本無線通信システム１０は、例えば、複数の中継局２００‐１〜２００‐３を介したマルチホップ通信でも適用できる。尚、図２及び図３に示す基地局１００、中継局２００、及び移動局３００の個数は任意に変更できる。
【００２２】
次に、無線通信装置である、基地局１００、中継局２００、及び移動局３００の各構成例を説明する。図４は送信機、図５は受信機の各構成例を示す図である。第２の実施例では、送信機が基地局１００、受信機が移動局３００の例で説明する。同じ下りリンクでも、送信機が基地局１００、受信機が中継局２００、又は、送信機が中継局２００、受信機が移動局３００の各場合でも実施できる。尚、上りリンクの例は第６の実施例で説明する。
【００２３】
送信機（基地局１００）は、記憶部１０１と、制御信号生成部１０２と、変調部１０３と、マッピング部１０４と、ＤＡＣ部１０５と、送信側ＲＦ部１０６と、無線共用部１０７と、アンテナ１０８と、受信側ＲＦ部１１０と、ＡＤＣ部１１１と、デマッピング部１１２と、復調部１１３と、再送要求確認部１１４と、受信品質測定部１１５と、スケジューラ部１１６とを備える。
【００２４】
記憶部１０１は送信データを記憶する。また、記憶部１０１は、スケジューラ部１１６から出力された再送制御情報に基づいて、送信データが再送か否かを確認し、再送のとき記憶された再送データ、再送でないとき新規の送信データを出力する。
【００２５】
制御信号生成部１０２は、スケジューラ部１１６でスケジューリングされた送信プロファイル（例えば、変調信号、変調方式、符号化率、帯域割当情報、再送制御情報等）に基づいて、これらの情報を含む制御信号を作成する。
【００２６】
変調部１０３は、記憶部１０１から出力された送信データと、制御信号生成部１０２から出力された制御信号とを変調する。変調部１０３は、スケジューラ部１１６でスケジューリングされた変調方式、符号化率等に従って、送信データ等に対して誤り訂正変調等の変調処理を行う。
【００２７】
マッピング部１０４は、変調後の送信データ等に対して、スケジューラ部１１６でスケジューリングされた帯域割当情報に従い帯域割り当てを行う。例えば、マッピング部１０４は、時間領域及び周波数領域の各領域へ送信データ等の割り当てを行う。
【００２８】
ＤＡＣ部１０５は、マッピングされた送信データ等をアナログの送信データ等に変換する。
【００２９】
送信側ＲＦ部１０６は、アナログデータ等に対して、増幅処理及びアップコンバート処理等の各種ＲＦ処理を行い送信信号として出力する。
【００３０】
無線共用部１０７は、送信側ＲＦ部１０６から出力された送信信号をアンテナ１０８に出力し、又は、アンテナ１０８で受信した受信信号を受信側ＲＦ部１１０に出力する。
【００３１】
アンテナ１０８は送信信号を無線信号として受信機（移動局３００）に送信し、受信機３００から送信された無線信号を受信し、受信信号として無線共用部１０７に出力する。
【００３２】
受信側ＲＦ部１１０は、無線共用部１０７から出力された受信信号に対して、ダウンコンバート等の各種ＲＦ処理を行う。
【００３３】
ＡＤＣ部１１１は、受信側ＲＦ部１１０から出力された受信信号をデジタル信号に変換する。
【００３４】
デマッピング部１１２は、例えば、ＡＤＣ部１１１から出力されたデジタル信号に対して、スケジューラ部１１６等で決定した帯域割当情報に従い、受信機３００から送信された受信データ等を抽出する。
【００３５】
復調部１１３は、デマッピング部１１２からの出力に対して復調処理を行う。復調部１１３は、例えば、復調後の受信データを後段にある復号処理部など、他の処理部に出力し、再送要求信号を再送要求確認部１１４、パイロット信号（又は既知信号、或いはプリアンブル信号）等を受信品質測定部１１５にそれぞれ出力する。
【００３６】
再送要求確認部１１４は、再送要求信号（Ａｃｋ信号又はＮａｃｋ信号）を確認し、再送要求情報をスケジューラ部１１６に出力する。
【００３７】
受信品質測定部１１５は、例えばパイロット信号等に基づいて、受信品質（例えば、ＣＮＲ（Carrier to Noise Ratio：搬送波対雑音比）など）を測定し、測定結果をスケジューラ部１１６に出力する。受信品質測定部１１５は、例えば、復調処理後であって復号処理前に検出される通信品質（又は受信品質）、或いは、復号処理前に実行される受信処理による通信品質（又は受信品質）を測定する。
【００３８】
スケジューラ部１１６は、受信品質の測定結果及び各種スケジューリング情報等に基づいて、送信プロファイルを決定する。また、スケジューラ部１１６は、再送要求情報に従い、再送制御情報を記憶部１０１に出力する。
【００３９】
受信機３００は、アンテナ３０１と、無線共用部３０２と、受信側ＲＦ部３０３と、ＡＤＣ部３０４と、伝搬路推定部３０５と、復調部３０６と、制御信号解析部３０７と、デマッピング部３０８と、合成処理部３０９と、誤り訂正復号部３１０と、伝搬路状態予測部３１１と、閾値設定部３１２と、閾値テーブル３１３と、受信品質測定部３１４と、誤り検出部３１５と、再送要求作成部３１６と、変調処理部３２０と、マッピング部３２１と、ＤＡＣ部３２２と、送信側ＲＦ部３２３とを備える。
【００４０】
例えば、受信品質測定部３１４は第１の実施例における受信品質測定部３７０に対応し、誤り検出部３１５は第１の実施例における第１の誤り検出部３８０に対応し、再送要求作成部３１６は第１の実施例における再送要求信号作成部３９０に対応する。
【００４１】
アンテナ３０１は、送信機１００との間で無線信号を送受信する。
【００４２】
無線共用部３０２は、アンテナ３０１から出力された無線信号を受信側ＲＦ部３０３に出力し、送信側ＲＦ部３２３から出力された無線信号をアンテナ３０１に出力する。
【００４３】
受信側ＲＦ部３０３は、無線共用部３０２から出力された無線信号に対して、電力増幅処理、直交変調等の各種処理を行い、受信信号を出力する。
【００４４】
ＡＤＣ部３０４は、受信側ＲＦ部３０３から出力された受信信号をデジタル信号に変換する。
【００４５】
伝搬路推定部３０５は、ＡＤＣ部３０４から出力されたデジタル信号のうち、例えばパイロット信号等に基づいて伝搬路推定を行い、伝搬路推定情報を復調部３０６と伝搬路状態予測部３１１に出力する。
【００４６】
復調部３０６は、ＡＤＣ部３０４から出力されたデジタル信号に対して、伝搬路推定情報に基づいて伝搬路補償処理等の復調処理を行う。
【００４７】
制御信号解析部３０７は、復調後の受信データ等から制御信号を抽出し、制御信号に含まれる送信プロファイル（帯域割当情報、変調方式、符号化率、再送制御情報など）を抽出する。制御信号解析部３０７は、例えば、帯域割当情報をデマッピング部３０８、再送制御情報を合成処理部３０９、変調方式と符号化率とを閾値設定部３１２に出力する。
【００４８】
デマッピング部３０８は、帯域割当情報に従い、復調後の受信信号から受信機３００あての受信データ等を抽出する。
【００４９】
合成処理部３０９は、再送制御情報が再送データを示すとき、デマッピング部３０８から出力された受信データと、保持した再送要求の対象の受信データとで最大比合成を行う。合成処理部３０９は、例えば、再送制御情報が新規データを示すとき、合成することなくデマッピング部３０８から出力された受信データを出力する。
【００５０】
誤り訂正復号部３１０は、合成処理部３０９から出力された受信データに対して、制御信号解析部３０７から出力された符号化率等に従って、誤り訂正符号化処理を行い、受信データを出力する。
【００５１】
伝搬路状態予測部３１１は、伝搬路推定情報に従って、伝搬路に関するドップラー周波数及びマルチパス状態等（以下、「伝搬路情報」）を生成し、閾値設定部３１２に出力する。
【００５２】
閾値設定部３１２は、伝搬路情報と、送信プロファイル（例えば、変調方式及び符号化率など）とに基づいて、誤り検出部３１５において誤り検出処理に用いる誤り閾値を設定する。閾値設定部３１２は、例えば、伝搬路情報に基づいて閾値テーブル３１３に記憶された複数のテーブルからいずれかを選択し、選択した閾値テーブル３１３から変調方式及び符号化率等に基づいていずれかの誤り閾値を読み出す。設定される誤り閾値は、例えば、受信データのロバスト性（又は誤り易さ）に合わせるために、伝搬路情報と変調方式等により決定される。
【００５３】
図６は閾値テーブル３１３の例を示す図である。閾値テーブル３１３は、「変調方式／符号化率」に応じて「誤り判定閾値」を記憶する。例えば、変調方式及び符号化率がそれぞれ「ＱＰＳＫ」及び「１／２」のとき、誤り判定閾値は「３ｄＢ」となり、「６４ＱＡＭ」及び「３／４」のとき、「１９ｄＢ」となる。図６の例において、変調方式が「ＱＰＳＫ」及び符号化率が「１／２」による受信信号は、変調方式が「６４ＱＡＭ」及び符号化率「３／４」によるもの比較すると、伝搬路状態が良くない状態で送信機１００から送信された受信信号である。「ＱＰＳＫ」等の場合の「誤り判定閾値」は、「６４ＱＡＭ」等の場合と比較して低い値となっており、受信機３００は伝搬路が良くない状態でも誤り閾値以上のデータ等を受信できればＮａｃｋを送信しないようになっている。
【００５４】
図７は、複数の閾値テーブル３１３から伝搬路モデル（または伝搬路情報）に基づいていずれかの閾値テーブル３１３が選択される例を示す図である。例えば、閾値テーブル３１３には複数のテーブルを記憶し、閾値設定部３１２はドップラー周波数またはマルチパス状態等に基づいて、いずれか一つ閾値テーブル３１３を選択する。
【００５５】
図５に戻り、受信品質測定部３１４は、合成処理部３０９から出力された受信データまたはパイロット信号等の受信品質を測定する。受信品質測定部３１４は、例えば、受信データ等のＥＶＭ（Error Vector Magnitude）若しくはＣＩＮＲ（Carrier to Interference plus Noise Ratio：搬送波対干渉波＋雑音比）等を測定する。受信品質測定部３１４は、例えば、復調処理後であって復号処理前に検出される通信品質（又は受信品質）、或いは復号処理前に実行される受信処理による通信品質（又は受信品質）を測定する。
【００５６】
誤り検出部３１５は、受信品質測定部３１４で測定された受信品質と、閾値設定部３１２で設定された閾値とを比較し、受信信号の誤りを検出する。誤り検出部３１５は検出結果を再送要求作成部３１６に出力する。詳細は後述する。
【００５７】
再送要求作成部３１６は、誤り検出の結果に基づいて再送要求信号（Ａｃｋ信号またはＮａｃｋ信号）を作成する。再送要求作成部３１６は、例えば、誤りであることを示す検出結果を得たときＮａｃｋ信号を作成し、誤りでないことを示す検出結果を得たときＡｃｋ信号を作成する。
【００５８】
変調処理部３２０は、例えば制御信号解析部３０７で解析された制御信号に従い、再送要求信号に対して変調処理を行う。
【００５９】
マッピング部３２１は、例えば、制御信号解析部３０７で解析された制御信号に従い、変調後の再送要求信号に対して帯域（例えば、時間方向及び周波数方向）の割り当てを行う。
【００６０】
ＤＡＣ部３２２は、帯域割当後の再送要求信号をデジタル信号に変換する。
【００６１】
送信側ＲＦ部３２３は、デジタル信号に変換後の再送要求信号に対して、アップコンバート処理及び増幅処理等の各種ＲＦ処理を行い、無線共用部３０２に出力する。
【００６２】
次に動作を説明する。図８は受信機３００における誤り検出処理の動作例を示すフローチャートである。
【００６３】
受信機３００は処理を開始すると（Ｓ１０）、受信データの変調方式及び符号化率と、伝搬路情報とに基づいて誤り閾値Ｔｒを設定する（Ｓ１１）。例えば、閾値設定部３１２が誤り閾値Ｔｒを設定する。
【００６４】
次いで、受信機３００は、受信データが再送データか否かを確認し、再送データのとき、再送対象となったデータと再送データとで最大比合成を行う（Ｓ１２）。例えば、合成処理部３０９は、再送制御情報に基づいて受信データか否かを判別し、再送データのとき、メモリに保持した再送対象のデータとで最大比合成の処理を行う。
【００６５】
次いで、受信機３００は受信データの受信品質Ｐを測定する（Ｓ１３）。例えば、受信品質測定部３１４が受信品質Ｐを測定する。
【００６６】
次いで、受信機３００は、受信品質Ｐと誤り閾値Ｔｒとを比較して、受信品質Ｐは誤り閾値Ｔｒより大きいか否かを判別する（Ｓ１４）。例えば、誤り検出部３１５が判別する。
【００６７】
受信機３００は、受信品質Ｐが誤り閾値Ｔｒより大きいと判別したとき（Ｓ１４でＹｅｓ）、データ誤りなしと判定し、Ａｃｋ信号を送信機１００に送信する（Ｓ１５）。例えば、誤り検出部３１５は誤りなしの判定結果を再送要求作成部３１６に出力し、再送要求作成部３１６がＡｃｋ信号を作成する。Ａｃｋ信号は変調処理部３２０等を経由して送信機１００に送信される。
【００６８】
一方、受信機３００は、受信品質Ｐが誤り閾値Ｔｒ以下のとき（Ｓ１４でＮｏ）、データ誤りありと判定し、Ｎａｃｋ信号を送信機１００に送信する（Ｓ１６）。例えば、誤り検出部３１５は誤りありの判定結果を再送要求作成部３１６に出力し、再送要求作成部３１６がＮａｃｋ信号を作成する。Ｎａｃｋ信号は変調処理部３２０等を経由して送信機１００に送信される。
【００６９】
受信機３００は、Ｓ１５及びＳ１６の処理を終了すると、一連の処理を終了する（Ｓ１７）。
【００７０】
送信機１００は、Ａｃｋ信号を受信すると新規データを受信機３００に送信し、Ｎａｃｋ信号を受信すると再送データを送信する。
【００７１】
尚、誤り閾値Ｔｒについては、他セルからの干渉、又は移動局３００の移動による伝搬路変動等も考慮して補正することもできる。図９は閾値補正処理の動作例を示すフローチャート、図１０は補正処理が行われる場合の受信機３００の構成例を示す図である。
【００７２】
受信機３００において、受信品質測定部３１４は、更に、他セルからの干渉量Ｐｉｎｔｅｒｆｅｒを測定し、閾値設定部３１２に出力する。
【００７３】
動作例は以下となる。即ち、受信機３００は処理を開始すると（Ｓ２０）、誤り閾値Ｔｒを設定する（Ｓ１１）。
【００７４】
次いで、受信機３００は、自局の移動速度ｖを測定し、移動による受信劣化量α（ｖ）を求め、他セルからの干渉量Ｐｉｎｔｅｒｆｅｒを測定する（Ｓ２１）。例えば、伝搬路状態予測部３１１は、演算したドップラー周波数に基づいて自局の移動速度ｖを測定し、当該移動速度ｖから受信劣化量（又は受信機３００の移動速度ｖにおける受信劣化ゲイン量）α（ｖ）を演算する。尚、受信機３００は更にＧＰＳ部を備え、当該ＧＰＳ部により移動速度ｖを測定してもよい。また、例えば、受信品質測定部３１４は測定した受信品質（ＥＶＭまたはＣＩＮＲ等）に基づいて干渉量Ｐｉｎｔｅｒｆｅｒを計算する。受信劣化量α（ｖ）と干渉量Ｐｉｎｔｅｒｆｅｒは閾値設定部３１２に出力される。
【００７５】
次いで、受信機３００は、誤り閾値Ｔｒを補正する（Ｓ２２）。例えば、閾値設定部３１２は、以下の計算式から誤り閾値Ｔｒを補正する。
【００７６】
Ｔｒ＝Ｔｒ＋Ｐｉｎｔｅｒｆｅｒ＋α（ｖ）
そして、受信機３００は一連の処理を終了する（Ｓ２３）。以後、例えば、受信機３００は補正した閾値Ｔｒを用いて誤り検出を行う（Ｓ１４）。
【００７７】
このように、本受信機３００は、例えば、合成処理部３０９からの出力、又は復調処理後であって復号処理前の出力、を用いて受信品質を測定し、閾値と受信品質とを比較して誤り検出処理を行う。従って、本受信機３００は、誤り訂正復号処理後の受信データ等に対してＣＲＣによる誤り訂正処理を行う場合と比較して、誤り訂正復号処理等を行わない分、誤り検出処理の高速化を図ることができる。送信機１００において、パケット送信から再送要求が返却されるまでの返却期間は、ＣＲＣによる誤り訂正処理を行う場合と比較して短縮できる。また、誤り検出処理の高速化により、例えば、受信機３００はＣＲＣによる誤り訂正処理を行う場合と比較して一定期間内により多くのデータ等を受信でき、本無線通信システム１０はスループットを向上させることができる。
【００７８】
＜第３の実施例＞
次に第３の実施例について説明する。本第３の実施例は、誤り検出について、第２の実施例の場合とＣＲＣによる誤り検出による場合とを組み合わせた例である。図１１は第３の実施例における受信機３００の構成例を示す図である。尚、送信機１００の構成例は第２の実施例と同様である（例えば、図４参照）。また、第２の実施例と同様に、送信機は基地局１００、受信機は移動局３００の例で説明する。
【００７９】
受信機３００は、更に、ＣＲＣ誤り検出部３２５と、切替部３２６とを備える。
【００８０】
ＣＲＣ誤り検出部３２５は、誤り訂正復号後の受信信号のうちＣＲＣ符号を復号し、当該ＣＲＣ符号に基づいて、受信データ等に対する誤り検出を行う。
【００８１】
切替部３２６は、制御信号解析部３０７から出力された切替信号に従って、誤り検出部３１５とＣＲＣ誤り検出部３２５とから各々出力された検出結果のうちいずれかを再送要求作成部３１６に出力する。
【００８２】
制御信号解析部３０７は、例えば、受信データのデータ量Ｄを測定又は予測し、データ量Ｄに応じた予測遅延量Ｔ（Ｄ）を計算する。そして、制御信号解析部３０７は、予測遅延量Ｔ（Ｄ）と、閾値である再送要求返却期間Ｔｒｅｔｕｒｎとを比較し、比較結果に応じた切替信号を出力する。
【００８３】
図１２は第３の実施例における動作例を示すフローチャートである。受信機３００は処理を開始すると（Ｓ３０）、受信データのデータ量Ｄを測定し、予測遅延量Ｔ（Ｄ）を求める（Ｓ３１）。例えば、制御信号解析部３０７は、制御信号に含まれる送信プロファイル、例えば、変調方式及び符号化率、受信機３００に割り当てられた帯域と、変調方式及び符号化率等、に基づいてデータ量Ｄを測定し、処理時間等から予測遅延量Ｔ（Ｄ）を求める。
【００８４】
次いで、受信機３００は、予測遅延量Ｔ（Ｄ）が再送要求返却期間Ｔｒｅｔｕｒｎより大きいか否かを判別する（Ｓ３２）。例えば、制御信号解析部３０７は、閾値として再送要求返却期間Ｔｒｅｔｕｒｎを保持し、予測遅延量Ｔ（Ｄ）と比較することで判別する。
【００８５】
受信機３００は、予測遅延量Ｔ（Ｄ）が再送要求返却期間Ｔｒｅｔｕｒｎより大きいとき（Ｓ３２でＹｅｓ）、誤り検出処理（例えば、図８）を行う（Ｓ３３）。例えば、制御信号解析部３０７は、誤り検出部３１５の検出結果が再送要求作成部３１６に出力されるように、切替部３２６を切り替える。或いは、制御信号解析部３０７は、受信品質測定部３１４と誤り検出部３１５の電源をオンにし、ＣＲＣ誤り検出部３２５の電源をオフにするようにしてもよい。予測遅延量Ｔ（Ｄ）が再送要求返却期間Ｔｒｅｔｕｒｎより大きいときは、例えば、受信データ量がある閾値よりも多いときであり、このような場合は遅延量を少なくさせるために、誤り検出部３１５による処理を行うようにする。
【００８６】
一方、受信機３００は、予測遅延量Ｔ（Ｄ）が再送要求返却期間Ｔｒｅｔｕｒｎ以下のとき（Ｓ３２でＮｏ）、ＣＲＣによる誤り検出処理を行う（Ｓ３５）。例えば、制御信号解析部３０７は、かかる場合、ＣＲＣ誤り検出部３２５から出力された検出結果を切替部３２６が出力するように切替信号を出力する。制御信号解析部３０７は、ＣＲＣ誤り検出部３２５の電源をオンにし、受信品質測定部３１４、及び誤り検出部３１５等の電源をオフにするようにしてもよい。予測遅延量Ｔ（Ｄ）が再送要求返却期間Ｔｒｅｔｕｒｎ以下のとき、例えば、受信データ量が閾値以下のときであり、このような場合は遅延が少ないため、ＣＲＣによる誤り検出を行う。
【００８７】
受信機３００は、再送要求を送信機１００に送信した後（Ｓ３３，Ｓ３５）、一連の処理を終了する（Ｓ３４）。
【００８８】
ただし、本第３の実施例において、誤り閾値の設定によっては誤り検出部３１５の検出結果と、ＣＲＣ誤り検出部３２５の検出結果とが一致しない場合もある。この場合、誤り閾値を最適化するため、本受信機３００は誤り閾値を調整するようにしてもよい。図１３はかかる場合の動作例を示すフローチャートである。
【００８９】
受信機３００は、処理を開始すると（Ｓ４０）、誤り検出処理とＣＲＣ誤り検出処理とを同時に行う（Ｓ４１）。受信機３００は、例えば図８に示す誤り検出処理を行い、受信品質Ｐと誤り閾値Ｔｒとを求める。
【００９０】
次いで、受信機３００は、受信データのデータ量Ｄを予測し、予測遅延量Ｔ（Ｄ）を演算する（Ｓ４２）。
【００９１】
次いで、受信機３００は、予測遅延量Ｔ（Ｄ）が再送要求返却期間Ｔｒｅｔｕｒｎよりも大きいか否か、又は、受信品質Ｐが誤り閾値Ｔｒよりも大きいか否か、を判別する（Ｓ４３）。
【００９２】
受信機３００は、予測遅延量Ｔ（Ｄ）が再送要求返却期間Ｔｒｅｔｕｒｎより大きいとき、又は、受信品質Ｐが誤り閾値Ｔｒよりも大きいとき（Ｓ４３でＹｅｓ）、誤り検出部３１５による誤り検出結果に基づいて再送要求を作成し送信機１００に送信する（Ｓ４４）。
【００９３】
一方、受信機３００は、予測遅延量Ｔ（Ｄ）が再送要求返却期間Ｔｒｅｔｕｒｎ以下のとき、又は、受信品質Ｐが誤り閾値Ｔｒ以下のとき、ＣＲＣ誤り検出部３２５によるＣＲＣ誤り検出結果に基づいて再送要求を作成し送信機１００に送信する（Ｓ４５）。
【００９４】
受信機３００は、再送要求を送信機１００に送信後（Ｓ４４，Ｓ４５）、誤り検出結果とＣＲＣ誤り検出結果を比較し、一致しないとき、以下の処理を行う（Ｓ４６）。すなわち、受信機３００は、誤り検出結果がＡｃｋ、ＣＲＣ誤り検出結果がＮａｃｋを示すとき、誤り閾値Ｔｒの値を上げる。一方、受信機３００は、誤り検出結果がＮａｃｋ、ＣＲＣ誤り検出結果がＡｃｋを示すとき、誤り閾値Ｔｒの値を下げる。例えば、誤り閾値Ｔｒの値を上げることで、受信機３００はＮａｃｋを返却する可能性が高くなり、誤り検出結果がＡｃｋからＮａｃｋに変化しＣＲＣ誤り検出結果と一致するようになる。誤り閾値Ｔｒは、例えばＣＲＣ検出結果に合わせるように調整される。例えば、切替部３２６に出力される検出結果が閾値設定部３１２に出力され、閾値設定部３１２が誤り閾値Ｔｒの調整を行う。
【００９５】
そして、受信機３００は一連の処理を終了する（Ｓ４７）。
【００９６】
本第３の実施例の場合も、受信品質測定部３１４と誤り検出部３１５による処理により再送要求が送信機１００に送信される場合もあり、かかる場合、第２の実施例と同様に、本無線通信システム１０は、誤り検出処理の高速化、更にスループットの向上を図ることができる。
【００９７】
尚、本第３の実施例では制御信号解析部３０７が切替部３２６の切替制御を行うものとして説明したが、例えば、閾値設定部３１２が切替制御を行うようにしてもよい。この場合、例えば、制御信号解析部３０７は送信プロファイルを閾値設定部３１２に出力し、閾値設定部３１２が送信プロファイルに基づいて予測遅延量Ｔ（Ｄ）等を計算し、切替信号を切替部３２６に出力する。
【００９８】
＜第４の実施例＞
次に第４の実施例について説明する。第４の実施例は合成処理を行う前の受信データ等を用いて誤り検出を行う例である。図１４は本第４の実施例における受信機３００の構成例を示す図である。本第４の実施例も第２，第３の実施例と同様に、送信機が基地局１００、受信機が移動局３００の例で説明する。
【００９９】
受信品質測定部３１４は、合成処理部３０９に入力前であって、デマッピング部３０８から出力された受信データ等を入力し、当該受信データ等に対して受信品質を測定する。或いは、受信品質測定部３１４は、復調処理後であって合成処理前の受信データ等に対して受信品質を測定する。
【０１００】
図１５及び図１６は第４の実施例で用いる閾値テーブル３１３の例を示す図である。再送回数に応じて異なる「誤り判定閾値」が閾値テーブル３１３に記憶される。受信データは、再送回数が大きくなるほど誤りにくくなるため、誤り閾値Ｔｒは再送回数が大きいほど小さくなっている。本閾値テーブル３１３において再送回数に応じて異なる「誤り判定閾値」が記憶されるのは、合成前の受信データに対するゲインが第２の実施例等の閾値テーブル３１３（例えば図６）と比較して、十分確保されていないためである。或いは、合成前の受信データの受信品質がある受信品質と比較して良くない場合でも、受信機３００が受信データを受信しＡｃｋを返却できるようにするためでもある。
【０１０１】
尚、図１６に示すように、閾値設定部３１２が伝搬路情報（又は伝搬路モデル）に応じて複数の閾値テーブル３１３からいずれかを選択するのは第２の実施例等と同様である。
【０１０２】
本第４の実施例における動作は、最大比合成（例えば図８のＳ１２）に代えて、受信品質測定部３１４がデマッピング部３０８から出力された受信データを入力する処理を行うことで本受信機３００は第２の実施例と同様に誤り検出処理を実行できる。受信機３００は、誤り閾値Ｔｒを補正するようにしてもよい（例えば、図９）。よって、本第４の実施例も、無線通信システム１０は、誤り検出処理の高速化を図ることができ、スループットも向上する。
【０１０３】
＜第５の実施例＞
次に第５の実施例を説明する。第５の実施例は第３及び第４の実施例を組み合わせた例である。図１７は第５の実施例における受信機３００の構成例を示す図である。送信機の構成例は図４に示す。閾値テーブル３１３の例は、図１５及び図１６に示す。
【０１０４】
受信品質測定部３１４は、第４の実施例と同様に、合成処理前の受信データを入力し、当該受信データに基づいて受信品質を測定する。
【０１０５】
また、制御信号解析部３０７は、第３の実施例と同様に、予測遅延量Ｔ（Ｄ）と再送要求返却期間Ｔｒｅｔｕｒｎとを比較し、比較結果に応じて切替信号を出力する。切替部３２６は、切替信号に基づいて、誤り検出部３１５の出力か、ＣＲＣ誤り検出部３２５の出力のいずれかを切り替える（例えば、図１２又は図１３）。
【０１０６】
本第５の実施例も第３の実施例等と同様に、本無線通信システム１０は誤り検出処理の高速化、更にスループットを向上させることができる。
【０１０７】
＜第６の実施例＞
第１〜第５の実施例は、下り回線の例であり、例えば送信機が基地局１００、受信機が移動局３００の例で説明した。第６の実施例は、上り回線の例、例えば、送信機が移動局３００、受信機が基地局１００の場合、更に、送信機が移動局３００で受信機が中継局２００、送信機が中継局２００で受信機が基地局１００の例である。図１８及び図１９は、送信機が移動局３００、受信機が基地局１００の場合の各構成例を示す図である。
【０１０８】
送信機３００は、更に、記憶部３５１と、再送要求確認部３５２と、再送制御部３５３とを備える。
【０１０９】
記憶部３５１は、送信データを記憶し、再送制御情報に基づいて再送データを送信すべきか否かを確認し、再送のとき記憶された再送データ、再送でないとき新規の送信データを夫々変調処理部３２０に出力する。
【０１１０】
再送要求確認部３５２は、受信機１００から送信され、復調部３０６から出力された再送要求信号（Ａｃｋ信号又はＮａｃｋ信号）を確認し、再送要求情報を再送制御部３５４に出力する。
【０１１１】
再送制御部３５３は、再送要求情報に基づいて再送制御情報を生成し、記憶部３５１に出力する。例えば、再送制御部３５３は、再送要求情報がＡｃｋを示すとき、新規データを送信することを示す再送制御情報を生成し、再送要求情報がＮａｃｋを示すとき、記憶された再送データを送信することを示す再送制御情報を生成する。再送制御部３５３の制御により記憶部３５１から再送データまたは新規データを送信するようにしてもよい。
【０１１２】
受信機１００は、更に、伝搬路推定部１５１と、伝搬路状態予測部１５２と、閾値設定部１５３と、閾値テーブル１５４と、合成処理部１５５と、誤り訂正復号部１５６と、受信品質測定部１５７と、誤り検出部１５８と、再送要求作成部１５９とを備える。
【０１１３】
伝搬路推定部１５１は、ＡＤＣ部１１１から出力された上り方向の受信信号のうち、例えばパイロット信号等に基づいて伝搬路推定を行って伝搬路推定情報を作成し、伝搬路状態予測部１５２に出力する。
【０１１４】
伝搬路状態予測部１５２は、伝搬路推定情報に基づいて、伝搬路におけるドップラー周波数及びマルチパス状態等の伝搬路情報を作成し、閾値設定部１５３に出力する。
【０１１５】
閾値設定部１５３は、伝搬路情報と、スケジューラ部１１６でスケジューリングされた受信プロファイル（例えば、変調方式及び符号化率など）とに基づいて誤り閾値を設定する。閾値設定部１５３は、上り方向の受信データのロバスト性（又は誤り易さ）に合わせるため伝搬路情報等に基づいて、誤り閾値を設定する。
【０１１６】
閾値テーブル１５４は、例えば、第２の実施例等と同様に、変調方式及び符号化率に応じた誤り閾値を記憶する。閾値テーブル１５４の例を図６又は図７に示す。図７等に示すように、閾値テーブル１５４は、伝搬路情報に基づいて複数のテーブルからいずれかが選択される。
【０１１７】
合成処理部１５５は、デマッピング部１１２から出力された受信データ等が再送データのとき、再送要求対象の受信データと最大比合成を行う。合成処理部１５５は、例えば、再送要求作成部１５９から出力された再送要求信号に基づいて、受信データが再送データか新規データかを判別できる。合成処理部１５５は、受信データが再送データでないとき、受信データ等を合成せずに出力する。
【０１１８】
誤り訂正復号部１５６は、合成処理部１５５から出力された受信データに対して、スケジューラ部１１６からの受信プロファイル（例えば、符号化率など）に基づいて、誤り訂正復号処理を行う。
【０１１９】
受信品質測定部１５７は、受信データ等の受信品質、例えばＥＶＭ又はＣＩＮＲを測定する。受信品質測定部１５７は、第２の実施例等と同様に、例えば復調処理後であって復号処理前の受信データ等に対して受信品質を測定する。
【０１２０】
誤り検出部１５８は、第２の実施例等における誤り検出部３１５と同様に、誤り閾値と受信品質を比較して、受信データ等の誤りを検出する。誤り検出部１５８は、例えば図８に示す処理を行う。
【０１２１】
再送要求作成部１５９は、誤り検出部１５８の検出結果に基づいて、Ａｃｋ信号又はＮａｃｋ信号を作成し、変調部１０３に出力する。再送要求信号は、例えば基地局１００から移動局３００に送信される。
【０１２２】
本受信機１００は、第３の実施例と同様に、ＣＲＣ復号による誤り検出と組み合わせても実施できる（例えば図１２及び図１３）。また、本受信機１００は、第４の実施例と同様に合成処理前の受信データ等に対して受信品質を測定するようにしてもよい。この場合、閾値テーブル１５４は例えば図１６等に示すものとなる。更に、本受信機１００は、第５の実施例と同様に、第３及び第４の実施例の組み合わせでも実施できる。
【０１２３】
本無線通信システム１０も、受信機１００は誤り訂正復号前の受信データ等に基づいて受信品質を測定して閾値との比較により誤り検出を行っている。従って、本第６の実施例においても、第２の実施例等と同様に、例えば、無線通信システム１０は、誤り検出処理の高速化とスループットの向上を図ることができる。
【０１２４】
＜その他の実施例＞
上述した第１〜第６の実施例のいずれにもおいて、送信機及び受信機の送信方式は、ＯＦＤＭ（Orthogonal Frequency Division Multiplexing）、ＣＤＭＡ（Code Division Multiple Access）、ＴＤＭＡ（Time Division Multiple Access）、ＦＤＭＡ（Frequency Division Multiple Access）など、どのような方式でも実施できる。
【０１２５】
以上まとめると付記のようになる。
【０１２６】
（付記１）
他の無線通信装置と無線通信を行う無線通信装置において、
前記他の無線通信装置から受信した受信信号の通信品質を測定する品質測定部と、
前記通信品質と第１の閾値とに基づいて、前記受信信号に含まれる受信データの誤りを検出する第１の誤り検出部と、
前記第１の誤り検出部の検出結果に基づいて再送要求信号を作成し、前記再送要求信号を前記他の無線通信装置に送信する再送要求信号作成部と
を備えることを特徴とする無線通信装置。
【０１２７】
（付記２）
更に、前記受信データに対する送信プロファイルに基づいて前記第１の閾値を決定し、当該第１の閾値を前記誤り検出部に出力する閾値設定部を備えることを特徴とする付記１記載の無線通信装置。
【０１２８】
（付記３）
前記閾値設定部は、伝搬路状態と前記送信プロファイルとに基づいて前記第１の閾値を決定することを特徴とする付記２記載の無線通信装置。
【０１２９】
（付記４）
前記閾値設定部は、干渉量又は受信劣化量に基づいて、前記決定した第１の閾値を補正することを特徴とする付記３記載の無線通信装置。
【０１３０】
（付記５）
前記品質測定部は、前記受信信号に対するＣＩＮＲ（Carrier to Interference plus Noise Ratio）、又はＥＶＭ（Error Vector Magnitude）を測定することで前記通信品質を測定することを特徴とする付記１記載の無線通信装置。
【０１３１】
（付記６）
更に、前記受信信号に含まれるＣＲＣ符号であって、誤り訂正復号後の前記ＣＲＣ符号を用いて、前記受信データの誤り検出を行う第２の誤り検出部を備え、
前記再送要求信号作成部は、前記第１又は前記第２の誤り検出部の検出結果に基づいて前記再送要求信号を作成することを特徴とする付記１記載の無線通信装置。
【０１３２】
（付記７）
更に、前記受信データのデータ量に対応する予測遅延量を測定する予測遅延量測定部と、
前記予測遅延量に基づいて、前記第１又は前記第２の誤り検出部から出力された各検出結果のうちいずれかを前記再送要求信号作成部に出力する切替部とを備え、
前記切替部は、前記予測遅延量が第２の閾値より大きいとき前記第１の誤り検出部から出力された検出結果を出力し、前記予測遅延量が前記第２の閾値以下のとき前記第２の誤り検出部から出力された検出結果を出力することを特徴とする付記６記載の無線通信装置。
【０１３３】
（付記８）
前記閾値設定部は、前記第１及び第２の誤り検出部の検出結果が異なるとき、前記第１の閾値を調整することを特徴とする付記６記載の無線通信装置。
【０１３４】
（付記９）
前記無線通信装置は、基地局装置、又は移動局装置、或いは中継局装置であることを特徴とする付記１記載の無線通信装置。
【０１３５】
（付記１０）
前記品質測定部は、前記受信信号に対する誤り訂正復号処理が行われる前の前記受信信号に対して通信品質を測定することを特徴とする付記１記載の無線通信装置。
【０１３６】
（付記１１）
前記送信プロファイルは、前記受信信号に対する、変調方式又は符号化率を含むことを特徴とする付記２記載の無線通信装置。
【０１３７】
（付記１２）
更に、前記第１の閾値を記憶する閾値テーブルを備え、
前記閾値設定部は、前記伝搬路状態に基づいて複数の前記閾値テーブルからいずれか一つの前記閾値テーブルを選択し、前記選択した閾値テーブルから前記送信プロファイルに対応する前記第１の閾値を読み出して前記誤り検出部に出力することを特徴とする付記３記載の無線通信装置。
【０１３８】
（付記１３）
前記第１の誤り検出部は、前記通信品質が前記第１の閾値よりも大きいとき、誤りありを示す検出結果を出力し、前記通信品質が前記第１の閾値以下のとき、誤りなしを示す検出結果を出力することを特徴とする付記１記載の無線通信装置。
【０１３９】
（付記１４）
前記受信劣化量は前記無線通信装置の移動速度に応じた量であることを特徴とする付記４記載の無線通信装置。
【０１４０】
（付記１５）
更に、前記受信データが再送データのとき、再送対象となった受信データと前記再送データとを合成する合成処理部を備え、
前記品質測定部は、前記合成後の前記受信データに対して通信品質を測定する付記１記載の無線通信装置。
【０１４１】
（付記１６）
前記品質測定部は、再送対象となった受信データと合成処理が行われる前の前記受信データに対して前記通信品質を測定することを特徴とする付記１記載の無線通信装置。
【０１４２】
（付記１７）
更に、前記受信信号に含まれるＣＲＣ符号であって、誤り訂正復号後の前記ＣＲＣ符号を用いて、前記受信データの誤り検出を行う第２の誤り検出部を備え、
前記再送要求信号作成部は、前記第１又は前記第２の誤り検出部の検出結果に基づいて前記再送要求信号を作成することを特徴とする付記１６記載の無線通信装置。
【０１４３】
（付記１８）
第１の無線通信装置と第２の無線通信装置との間で無線通信を行う無線通信システムにおいて、
前記第１の無線通信装置は、
前記第２の無線通信装置から受信した受信信号の通信品質を測定する品質測定部と、
前記通信品質と第１の閾値とに基づいて、前記受信信号に含まれる受信データの誤りを検出する第１の誤り検出部と、
前記第１の誤り検出部の検出結果に基づいて再送要求信号を作成し、前記再送要求信号を前記第２の無線通信装置に送信する再送要求信号作成部とを備え、
前記第２の無線通信装置は、
前記再送要求信号に応じて前記受信データを再送する送信部を備えることを特徴とする無線通信システム。
【０１４４】
（付記１９）
第１の無線通信装置と第２の無線通信装置との間で無線通信を行う無線通信システムにおける無線通信方法であって、
前記第１の無線通信装置は、前記第２の無線通信装置から受信した受信信号の通信品質を測定し、前記通信品質と第１の閾値とに基づいて、前記受信信号に含まれる受信データの誤りを検出し、前記誤り検出の検出結果に基づいて再送要求信号を作成し、前記再送要求信号を前記第２の無線通信装置に送信し、
前記第２の無線通信装置は、前記再送要求信号に応じて前記受信データを再送する、ことを特徴とする無線通信方法。
【符号の説明】
【０１４５】
１０：無線通信システム                １００（１００‐１，１００‐２）：基地局装置
１０１：記憶部                        １０２：制御信号生成部
１０３：変調部                        １０４：マッピング部
１１２：デマッピング部                １１３：復調部
１１４：再送要求確認部                １１５：受信品質測定部
１１６：スケジューラ部                １５１：伝搬路推定部
１５２：伝搬路状態予測部              １５３：閾値設定部
１５４：閾値テーブル                  １５５：合成処理部
１５６：誤り訂正復号部                １５７：受信品質測定部
１５８：誤り検出部                    １５９：再送要求作成部
２００（２００‐１〜２００‐３）：中継局装置
３００：移動局装置                    ３０５：伝搬路推定部
３０６：復調部                        ３０７：制御信号解析部
３０８：デマッピング部                ３０９：合成処理部
３１０：誤り訂正復号部                ３１１：伝搬路状態予測部
３１２：閾値設定部                    ３１３：閾値テーブル
３１４：受信品質測定部                ３１５：誤り検出部
３１６：再送要求作成部                ３２５：ＣＲＣ誤り検出部
３２６：切替部
【図１】
2011077822.tif 000003
【図２】
2011077822.tif 000004
【図３】
2011077822.tif 000005
【図４】
2011077822.tif 000006
【図５】
2011077822.tif 000007
【図６】
2011077822.tif 000008
【図７】
2011077822.tif 000009
【図８】
2011077822.tif 000010
【図９】
2011077822.tif 000011
【図１０】
2011077822.tif 000012
【図１１】
2011077822.tif 000013
【図１２】
2011077822.tif 000014
【図１３】
2011077822.tif 000015
【図１４】
2011077822.tif 000016
【図１５】
2011077822.tif 000017
【図１６】
2011077822.tif 000018
【図１７】
2011077822.tif 000019
【図１８】
2011077822.tif 000020
【図１９】
2011077822.tif 000021